(57)【特許請求の範囲】
【請求項１】
室外側の引き戸（２８）の横桟（３０）に室内から当接する第一拡張片（３）と、戸枠（３１）の室内段差（３２）に当接する第二拡張片（４）と、これらの拡張片（３，４）がその間の相対間隔を変更できるように下面側に設けられているケーシング（２）と、前記両拡張片（３，４）の相対間隔を拡張又は縮小するための操作手段（５）と、を備えている引き戸の補助ロック装置において、
前記ケーシング（２）は、下部側が開口された板金製の上半ケース（７）と、この上半ケース（７）の開口部内に嵌め込まれた板金製の下半ケース（８）とからなり、この下半ケース（８）の下面縁部に引っ掛かる屈曲片（１１）が前記上半ケース（７）の開口縁に形成され、前記屈曲片（１１）の下面よりも下方に膨出するリブ部（１４）が前記下半ケース（８）の下面縁部に形成されていることを特徴とする引き戸の補助ロック装置。
【発明の詳細な説明】
【発明の属する技術分野】
【０００１】
本発明は、本来の錠装置とは別に室内外の両引き戸を補助的にロックするための引き戸の補助ロック装置に関する。
【０００２】
【従来の技術】
例えば、建物の窓部や玄関を構成するアルミサッシは、戸枠に設けた内外二列のレールに室内外の引き戸を走行自在に設けることによって構成され、これら室内外の引き戸の施錠は、一般に、両引き戸を閉鎖したときに戸枠の中央で重なり合う縦桟同士をいわゆるクレセント錠で固定することによって行われる。
【０００３】
しかし、上記クレセント錠は、引き戸のガラスの一部を割って手を入れることで簡単に解錠される恐れがあるため、引き戸の防犯性をより向上させるべく、本来の錠装置とは別に補助ロック装置を設けることがある。
そして、かかる補助ロック装置として、室外側の引き戸の横桟に室内から当接する第一拡張片と、戸枠の室内段差に当接する第二拡張片と、これらの拡張片がその間の相対間隔を変更できるように下面側に設けられているケーシングと、両拡張片の相対間隔を拡張又は縮小するための操作手段と、を備えたものがある（例えば、実公平７−１２５９６号公報参照）。
【０００４】
かかる補助ロック装置によれば、両拡張片を室外側の引き戸と戸枠の室内段差の間に嵌め込んだ状態でケーシングを窓枠にセットしたあと、両拡張片の間隔を拡張させるように操作手段を操作すると、室外側の引き戸が第一拡張片に押圧されて開かないようになるとともに、室内側の引き戸はケーシングそのものが邪魔になって開かないようになり、室内外の両引き戸をロックすることができる。
【０００５】
そして、上記従来の補助ロック装置では、ケーシングは、下部側が開口された鋳鉄製のケース本体と、このケース本体の開口部を施蓋する同じく鋳鉄製の裏蓋とから構成され、この裏蓋の四隅に形成したねじ孔に挿通した取付ねじをケース本体に螺合することにより、裏蓋をケース本体に一体化するようにしている。
【０００６】
【発明が解決しようとする課題】
従来の補助ロック装置のように、ケーシングの構成部材であるケース本体と裏蓋がいずれも鋳鉄製である場合には、材料コストをそれほど低減することができないという欠点がある。そこで、ケーシングを、下部側が開口された板金製の上半ケースと、この上半ケースの開口部内に嵌め込まれた板金製の下半ケースとから構成し、上半ケースの開口縁に形成した屈曲片を下半ケースの下面縁部に引っ掛けることにより、両者を一体化することが考えられる。
【０００７】
しかるに、単に、下半ケースの下面縁部に引っ掛かる屈曲片を上半ケースの開口縁に形成した場合には、この屈曲片の下面がケーシングの下面側に突出することになるので、当該補助ロック装置を窓枠にセットした場合に、屈曲片の下面が戸枠の上面に当接してこれを傷つけてしまうという新たな欠点が生じる。
また、下部側が開口された板金製の上半ケースの開口部内に同じく板金製の下半ケースを嵌め込む構造では、上半ケースの開口部回りの強度が低くなり、ケーシングの剛性が低下するという欠点もある。
【０００８】
そこで、本発明の課題は、ケーシングを板金製の部材で構成しても、戸枠を傷つけたり、同ケーシングの剛性の低下が生じないようにして、補助ロック装置の製造コストを大幅に低減できるようにする点にある。
【０００９】
【課題を解決するための手段】
本発明は、上記課題を解決するために次の解決手段を採用した。
即ち、本発明は、上記引き戸の補助ロック装置において、前記ケーシングは、下部側が開口された板金製の上半ケースと、この上半ケースの開口部内に嵌め込まれた板金製の下半ケースとからなり、この下半ケースの下面縁部に引っ掛かる屈曲片が前記上半ケースの開口縁に形成され、前記屈曲片の下面よりも下方に膨出するリブ部が前記下半ケースの下面縁部に形成されていることを特徴とする。
【００１０】
【作用】
本発明の補助ロック装置によれば、下半ケースの下面縁部に引っ掛かる屈曲片の下面よりも下方に膨出するリブ部が当該下半ケースの下面縁部に形成されているので、補助ロック装置を窓枠にセットした場合にそのリブ部が戸枠の上面に当接する。このため、屈曲片の下面が戸枠の上面に当接することがなく、同屈曲片によって戸枠の上面を傷つけてしまうのを未然に防止することができる。
【００１１】
また、上記リブ部が上半ケースの開口部内に嵌め込まれた下半ケースの下面縁部に形成されているので、上半ケースの開口部回りの強度が向上する。このため、ケーシングをいずれも板金製の上半ケースと下半ケースで構成したにも拘わらず、その剛性の低下を防止することができる。
【００１２】
【実施例】
以下、図面を参照しつつ、本発明の実施例を説明する。
図１〜図３は本発明の補助ロック装置１を示している。
図１及び図２に示すように、本実施例の補助ロック装置１は、ステンレス鋼等の板金材料を平面視ほぼ四角形に形成してなる中空のケーシング２と、このケーシング２の先端部に突設された第一拡張片３と、この第一拡張片３に対して接近離反自在となるようにケーシング２に設けられた第二拡張片４と、この第二拡張片４を移動させるための操作手段５と、を備えている。
【００１３】
第一及び第二拡張片３，４は、いずれもケーシング２の幅寸法にほぼ相当する幅を有する方形板材よりなり、ケーシング２の下面側において互いに平行となるように下方に突出して配置されている。この第一及び第二拡張片３，４の当接面側には、それぞれ、ゴムパッド等よりなる弾性板材６が固定されている。
図２に示すように、ケーシング２は、下方に突出する第一拡張片３を長手方向一端に一体に有する下部側が開口された板金製の上半ケース７と、この上半ケース７の開口部内に嵌め込まれた同じく板金製の下半ケース８とから構成されている。
【００１４】
このうち、上半ケース７は、ステンレス鋼等よりなる板金部材をプレス成形することによって構成され、ほぼ長方形状を呈する上板部９と、この上板部９の縁部から下方に延びる外側板部１０とを一体に備えている。この上半ケース７の開口縁（外側板部１０の下縁）には、前後左右で合計四つの屈曲片１１が形成されている。
なお、本実施例の第一拡張片３は、外側板部１０の前端側（図２の右端側）の部分だけを下方に延長することによって形成されている。
【００１５】
他方、下半ケース８も、ステンレス鋼等よりなる板金部材をプレス成形することによって構成され、ほぼ長方形状を呈する下板部１２と、この下板部１２の縁部から上方に延びる内側板部１３を一体に備えている。
この下半ケース８は、上半ケース７に比べて、ほぼ板金部材の板厚分だけ小さい外周寸法に形成されており、その内側板部１３が外側板部１０の内側に来るように、上半ケース７の開口部内に嵌め込まれている。
【００１６】
そして、上記のようにして、上半ケース７の開口部内に下半ケース８を嵌め込んだ状態で、図１において矢印Ａで示すように、上半ケース７の屈曲片１１を内側に折り曲げて下半ケース８の下面縁部に引っ掛けることにより、両ケース７，８が一体化されて中空のケーシング２が構成されている。
下半ケース８の下面縁部（下板部１２の外周縁部）には、同縁部を下面側に向かって膨出させてなるリブ部１４が形成されている。
【００１７】
図１に示すように、このリブ部１４は、下板部１２の外周縁部における前記屈曲片１１が引っ掛けられる部分以外の範囲に渡って形成されており、同屈曲片１１の厚さ（下半ケース８を構成する板金部材の厚さ）よりも大きく下方に湾曲した状態で膨らんでいる。従って、図２に示すように、本実施例のリブ部１４は、両ケース７，８を一体化すべく屈曲片１１が内側に折り曲げたられた後においては、同屈曲片１１の下面よりも下方に膨出することになる。
【００１８】
上記ケーシング２の内部には、回動プレート１６と、この回動プレート１６の回動に伴って当該ケーシング２の長手方向（図２の左右方向）に移動するスライドプレート１７が設けられている。このスライドプレート１７の下面には、前記第二拡張片４が屈曲形成されていて、この第二拡張片４は、下半ケース８の下板部１２に形成されたガイド孔１８を貫通してケーシング２の下面側に突出している。
【００１９】
回動プレート１６には、ケーシング２の上面側に露出した円錐台状の回動部材１９が同軸心状に固定されており、この回動部材１９の表面中央部には、操作つまみ２０の係合孔２１が設けられている。この係合孔２１は、円形孔の相対向する二箇所に溝部を形成した形状に形成されており、同係合孔２１の円形孔部分には工具阻害突起として機能するロールピン２２が収納されている。
【００２０】
他方、操作つまみ２０は、上記係合孔２１に丁度嵌まる断面を有する係合片２３を備え、この係合片２３の中心部には上記ロールピン２２の収納孔２４が形成されている。従って、操作つまみ２０の係合片２３を回動部材１９の係合孔２１に差し込んで同つまみ２０を回動することにより、回動部材１９をケーシング２に対して相対回動することができる。
【００２１】
なお、係合孔２１の中央部に前記ロールピン２２が設けられているので、ねじ回し等の工具を係合孔２１に差し込んで回動部材１９を回動することはできず、専用の断面形状をした上記係合片２３を有する当該操作つまみ２０でしか回動部材１９を回動できないようになっている。
図２に示すように、回動プレート１６の下面側の外周縁部には、同プレート１６の回動中心からの距離が漸次変化する渦巻き状に形成された螺旋リブ２５が一体に形成されていて、スライドプレート１７の上面には、その螺旋リブ２５に係合する複数の摺動片２６がケーシング２の長手方向に一定間隔おきに形成されている。
【００２２】
このため、回動プレート１６が回動すると、螺旋リブ２５が各摺動片２６に順送りに噛み合い、これによってスライドプレート１７とその下面側の第二拡張片４がケーシング２の長手方向に移動し、第二拡張片４の第一拡張片３に対する相対間隔が拡張又は縮小されることになる。
しかして、本実施例では、上記操作つまみ２０、回動部材１９、回動プレート１６及びスライドプレート１７により、両拡張片３，４の相対間隔を拡張又は縮小するための前記操作手段５が構成されている。
【００２３】
なお、上記回動プレート１６の螺旋リブ２５は、ステンレス鋼等よりなる板金部材をプレス成形することによって形成されている。また、スライドプレート１７は、プレス成形によって摺動片２６が切り起こし形成された板金部材を二つ折りすることによって構成され、その下板部を下方に屈曲することによって第二拡張片４が構成されている。
従って、本実施例では、前記両ケース７，８だけでなく、これらの両プレート１６，１７も板金製になっており、これによって更なる材料コストの低減を図っている。
【００２４】
次に、図３を参照しつつ、上記構成に係る補助ロック装置１の使用方法及び作用を説明する。
本実施例の補助ロック装置１を使用するには、まず、操作つまみ２０を回動部材１９に差し込んで、第二拡張片４を第一拡張片３に対してできるだけ近づける方向に回動部材１９を回動しておき、この状態で、両拡張片３，４を室外側の引き戸２８の横桟３０と戸枠３１の室内段差３２の間に嵌め込んで、ケーシング２を窓枠の下部にセットする。
【００２５】
その後、第二拡張片４が第一拡張片３から離れる方向に操作つまみ２０を回動すると、第二拡張片４が室内段差３２を押圧すると同時に、第一拡張片３が室外側の引き戸２８の横桟３０を押圧し、これによって室外側の引き戸２８が開かなくなるとともに、室内側の引き戸２９はケーシング２そのものが邪魔になって開かなくなり、室内外の両引き戸２８，２９が同時にロックされることになる。
【００２６】
このさい、本実施例の補助ロック装置１によれば、下半ケース８の下面縁部に形成されたリブ部１４が当該下半ケース８の下面縁部に引っ掛かる屈曲片１１の下面よりも下方に膨出しているので、上記のようにして補助ロック装置１を窓枠にセットした場合には、屈曲片１１の下面ではなく、リブ部１４の方が戸枠３１の上面に当接する。このため、鋭利な屈曲片１１の縁によって戸枠３１の上面を傷つけてしまうのを未然に防止することができる。
【００２７】
また、本実施例の補助ロック装置１によれば、上記リブ部１４が上半ケース７の開口部内に嵌め込まれた下半ケース８の下面縁部に形成されているので、上半ケース７の開口部回りの強度が向上する。このため、ケーシング２をいずれも板金製の上半ケース７と下半ケース８で構成したにも拘わらず、その剛性の低下を防止することができる。
【００２８】
なお、本発明は上記実施例に限定されるものではない。
例えば、第一拡張片３及び第二拡張片４はその間の相対間隔を変更できるようにケーシング２に設けられておれば足り、前者をケーシング２に対して移動させかつ後者をケーシング２に固定してもよいし、両者ともケーシング２に対して移動させてもよい。
また、図３では、補助ロック装置１を窓枠の下部にセットした場合を例示しているが、同装置１を窓枠の上部にもセットすることもできる。
【００２９】
【発明の効果】
本発明によれば、ケーシングを板金製の部材で構成しても、屈曲片によって戸枠を傷つけたり、同ケーシングの剛性が低下したりするような不都合を回避することができる。このため、材料コストの低い板金製のケーシングを支障なく採用することができ、補助ロック装置の製造コストを低減することができる。
【図面の簡単な説明】
【図１】本発明に係る補助ロック装置を下面側から見た場合の斜視図である。
【図２】同補助ロック装置の側面断面図である。
【図３】同補助ロック装置の使用状態を示す窓枠下部の断面図である。
【符号の説明】
１      補助ロック装置
２      ケーシング
３      第一拡張片
４      第二拡張片
５      操作手段
７      上半ケース
８      下半ケース
１１      屈曲片
１４      リブ部
２８      室外側の引き戸
２９      室内側の引き戸
３０      横桟
３１      戸枠
３２      室内段差
【図１】
0003956027.tif 000002
【図２】
0003956027.tif 000003
【図３】
0003956027.tif 000004